(57)【特許請求の範囲】
【請求項１】
リモート端末と、
前記リモート端末と通信可能な画像形成装置と
を備える画像形成システムであって、
前記リモート端末は、
端末側表示画面を表示する端末側表示部と、
前記端末側表示部に表示された前記端末側表示画面を介して操作された遠隔側操作内容に基づく操作情報を前記画像形成装置に送信する端末側通信部と
を備え、
前記画像形成装置は、
本体側表示画面を表示する本体側表示部と、
前記端末側通信部により送信された前記操作情報に応じて、前記本体側表示部に表示させる前記本体側表示画面を遷移させる本体側制御部と
を備え、
前記本体側表示部は、
前記本体側表示画面として、デフォルト設定であるネイティブ画面と、前記ネイティブ画面が編集されたカスタマイズ画面との少なくとも一方が表示可能であり、
前記ネイティブ画面及び前記カスタマイズ画面のそれぞれは、
互いに相関関係のある複数の操作画面
を含み、
前記操作画面は、
操作を受け付ける操作項目
を含み、
前記リモート端末は、
前記端末側表示画面として、前記ネイティブ画面に含まれる前記操作画面を少なくとも表示可能であり、
前記本体側制御部は、
前記本体側表示画面として前記カスタマイズ画面が表示されている際に、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、
画像形成システム。
【請求項２】
前記画像形成装置は、
前記本体側表示画面として前記カスタマイズ画面が表示されている際に、前記リモート端末からリモートアクセス要求があった場合、前記ネイティブ画面に存在し、前記カスタマイズ画面に存在しない前記操作項目を、操作不可能状態とした設定内容を含んだ前記ネイティブ画面に含まれる前記操作画面を前記リモート端末に送信する、
請求項１に記載の画像形成システム。
【請求項３】
前記画像形成装置は、
前記本体側表示画面として前記カスタマイズ画面が表示されている際に、前記リモート端末からリモートアクセス要求があった場合、前記ネイティブ画面及び前記カスタマイズ画面のそれぞれに含まれる前記操作画面を前記リモート端末に送信する、
請求項１に記載の画像形成システム。
【請求項４】
前記画像形成装置は、
前記カスタマイズ画面のツリー情報を前記リモート端末に送信し、
前記端末側表示部は、
前記カスタマイズ画面の前記ツリー情報を表示し、
前記ツリー情報は、
前記操作項目の経路が含まれ、
前記操作項目の経路は、
前記操作項目のうち、前記操作画面の遷移に応じて関連付けられている前記操作項目の前記操作画面を介した相関関係を示す、
請求項２又は３に記載の画像形成システム。
【請求項５】
前記画像形成装置は、
前記遠隔側操作内容に対応する前記操作項目が操作された旨を含ませた前記ツリー情報を前記リモート端末に送信し、
前記端末側表示部は、
前記遠隔側操作内容に対応する前記操作項目が操作された旨を含ませた前記ツリー情報を表示する、
請求項４に記載の画像形成システム。
【請求項６】
本体側表示画面を表示する本体側表示部と、
前記本体側表示画面がリモート端末の端末側表示画面に表示され、前記リモート端末から取得した前記端末側表示画面を介して操作された遠隔側操作内容に基づく操作情報に応じて、前記本体側表示部に表示させる前記本体側表示画面を遷移させる本体側制御部と
を含み、
前記本体側表示部は、
前記本体側表示画面として、デフォルト設定であるネイティブ画面と、前記ネイティブ画面が編集されたカスタマイズ画面との少なくとも一方が表示可能であり、
前記ネイティブ画面及び前記カスタマイズ画面のそれぞれは、
互いに相関関係のある複数の操作画面
を含み、
前記操作画面は、
操作を受け付ける操作項目
を含み、
前記本体側制御部は、
前記本体側表示画面として前記カスタマイズ画面が表示されている際に、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、
画像形成装置。
【請求項７】
画像形成装置を制御するコンピュータを、
本体側表示画面を表示する本体側表示部と、
前記本体側表示画面がリモート端末の端末側表示画面に表示され、前記リモート端末から取得した前記端末側表示画面を介して操作された遠隔側操作内容に基づく操作情報に応じて、前記本体側表示部に表示させる前記本体側表示画面を遷移させる本体側制御部と、
として機能させるためのプログラムであって、
前記本体側表示部は、
前記本体側表示画面として、デフォルト設定であるネイティブ画面と、前記ネイティブ画面が編集されたカスタマイズ画面との少なくとも一方が表示可能であり、
前記ネイティブ画面及び前記カスタマイズ画面のそれぞれは、
互いに相関関係のある複数の操作画面
を含み、
前記操作画面は、
操作を受け付ける操作項目
を含み、
前記本体側制御部は、
前記本体側表示画面として前記カスタマイズ画面が表示されている際に、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、
プログラム。
【発明の詳細な説明】
【技術分野】
【０００１】
本発明は、画像形成システム、画像形成装置、及びプログラムに関する。
【背景技術】
【０００２】
従来、ＭＦＰ（Ｍｕｌｔｉ  Ｆｕｎｃｔｉｏｎ  Ｐｅｒｉｐｈｅｒａｌ）と、端末とがネットワークを介して接続され、各種サービスが実現されている（例えば、特許文献１参照）。
【先行技術文献】
【特許文献】
【０００３】
【特許文献１】特開２００６−５９０８３号公報
【発明の概要】
【発明が解決しようとする課題】
【０００４】
特許文献１に記載のような従来技術は、画像形成装置として機能するＭＦＰから端末を遠隔操作するものであるが、ＭＦＰに表示されている操作画面と、端末に表示されている操作画面とは異なるものであり、ＭＦＰ側の操作画面と、端末側の操作画面とが連動して変化するものではない。
【０００５】
よって、仮に、端末からＭＦＰを遠隔操作しようとしても、端末側の操作画面と、ＭＦＰ側の操作画面とは異なるものであるため、端末側の操作画面のサービスマンは、ＭＦＰ側の操作画面を事前に把握する必要がある。
【０００６】
しかし、ＭＦＰ側の操作画面は、パネルカスタマイズ機能により顧客ごとに異なる可能性がある。よって、従来技術では、端末側から遠隔操作対象である画像形成装置を遠隔操作しようとしても、画像形成装置に表示されている操作画面を事前に把握しなければ遠隔操作が困難となっている。
【０００７】
したがって、特許文献１に記載のような従来技術において、仮に、端末からＭＦＰを遠隔操作しようとしても、端末側から遠隔操作対象である画像形成装置が遠隔操作される際、画像形成装置に表示されている操作画面を意識させることなく操作させることができない恐れがある。
【０００８】
本発明は、従来の課題を解決するためになされたものであり、その目的とするところは、端末側から遠隔操作対象である画像形成装置が遠隔操作される際、画像形成装置に表示されている操作画面を意識させることなく操作させることができる画像形成システム、画像形成装置、及びプログラムを提供することにある。
【課題を解決するための手段】
【０００９】
上記目的を達成するため、本発明に係る画像形成システムは、リモート端末と、前記リモート端末と通信可能な画像形成装置とを備える画像形成システムであって、前記リモート端末は、端末側表示画面を表示する端末側表示部と、前記端末側表示部に表示された前記端末側表示画面を介して操作された遠隔側操作内容に基づく操作情報を前記画像形成装置に送信する端末側通信部とを備え、前記画像形成装置は、本体側表示画面を表示する本体側表示部と、前記端末側通信部により送信された前記操作情報に応じて、前記本体側表示部に表示させる前記本体側表示画面を遷移させる本体側制御部とを備え、前記本体側表示部は、前記本体側表示画面として、デフォルト設定であるネイティブ画面と、前記ネイティブ画面が編集されたカスタマイズ画面との少なくとも一方が表示可能であり、前記ネイティブ画面及び前記カスタマイズ画面のそれぞれは、互いに相関関係のある複数の操作画面を含み、前記操作画面は、操作を受け付ける操作項目を含み、前記リモート端末は、前記端末側表示画面として、前記ネイティブ画面に含まれる前記操作画面を少なくとも表示可能であり、前記本体側制御部は、前記本体側表示画面として前記カスタマイズ画面が表示されている際に、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、ことを特徴とするものである。
【００１０】
この画像形成システムによれば、端末側から遠隔操作対象である画像形成装置が遠隔操作される際、画像形成装置に表示されている操作画面を意識させることなく操作させることができる。また、この画像形成システムによれば、遠隔側操作内容と、本体側操作内容とのつじつまを合わせることができる。
【００１３】
また、本発明に係る画像形成システムにおいて、前記画像形成装置は、前記本体側表示画面として前記カスタマイズ画面が表示されている際に、前記リモート端末からリモートアクセス要求があった場合、前記ネイティブ画面に存在し、前記カスタマイズ画面に存在しない前記操作項目を、操作不可能状態とした設定内容を含んだ前記ネイティブ画面に含まれる前記操作画面を前記リモート端末に送信する、ことが好ましい。
【００１４】
この画像形成システムによれば、カスタマイズ画面と同様の操作項目を可視化することができる。
【００１５】
また、本発明に係る画像形成システムにおいて、前記画像形成装置は、前記本体側表示画面として前記カスタマイズ画面が表示されている際に、前記リモート端末からリモートアクセス要求があった場合、前記ネイティブ画面及び前記カスタマイズ画面のそれぞれに含まれる前記操作画面を前記リモート端末に送信する、ことが好ましい。
【００１６】
この画像形成システムによれば、ネイティブ画面に含まれる操作画面と、カスタマイズ画面に含まれる操作画面との相違点を可視化することができ、リモート端末から遠隔操作をするものに注意喚起を促すことができる。
【００１７】
また、本発明に係る画像形成システムにおいて、前記画像形成装置は、前記カスタマイズ画面のツリー情報を前記リモート端末に送信し、前記端末側表示部は、前記カスタマイズ画面の前記ツリー情報を表示し、前記ツリー情報は、前記操作項目の経路が含まれ、前記操作項目の経路は、前記操作項目のうち、前記操作画面の遷移に応じて関連付けられている前記操作項目の前記操作画面を介した相関関係を示す、ことが好ましい。
【００１８】
この画像形成システムによれば、直近で行われた遠隔側操作内容に対応する操作項目にたどり着くまでの経路を可視化できる。
【００１９】
また、本発明に係る画像形成システムにおいて、前記画像形成装置は、前記遠隔側操作内容に対応する前記操作項目が操作された旨を含ませた前記ツリー情報を前記リモート端末に送信し、前記端末側表示部は、前記遠隔側操作内容に対応する前記操作項目が操作された旨を含ませた前記ツリー情報を表示する、ことが好ましい。
【００２０】
この画像形成システムによれば、メンテナンス時の障害要因を特定しやすくなる。
【００２１】
また、上記目的を達成するため、本発明に係る画像形成装置は、本体側表示画面を表示する本体側表示部と、前記本体側表示画面がリモート端末の端末側表示画面に表示され、前記リモート端末から取得した前記端末側表示画面を介して操作された遠隔側操作内容に基づく操作情報に応じて、前記本体側表示部に表示させる前記本体側表示画面を遷移させる本体側制御部とを含み、前記本体側表示部は、前記本体側表示画面として、デフォルト設定であるネイティブ画面と、前記ネイティブ画面が編集されたカスタマイズ画面との少なくとも一方が表示可能であり、前記ネイティブ画面及び前記カスタマイズ画面のそれぞれは、互いに相関関係のある複数の操作画面を含み、前記操作画面は、操作を受け付ける操作項目を含み、前記本体側制御部は、前記本体側表示画面として前記カスタマイズ画面が表示されている際に、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、ことを特徴とするものである。
【００２２】
この画像形成装置においても、上記の画像形成システムと同様に、端末側から遠隔操作対象である画像形成装置が遠隔操作される際、画像形成装置に表示されている操作画面を意識させることなく操作させることができる。また、この画像形成システムによれば、遠隔側操作内容と、本体側操作内容とのつじつまを合わせることができる。
【００２３】
また、上記目的を達成するため、本発明に係るプログラムは、画像形成装置を制御するコンピュータを、本体側表示画面を表示する本体側表示部と、前記本体側表示画面がリモート端末の端末側表示画面に表示され、前記リモート端末から取得した前記端末側表示画面を介して操作された遠隔側操作内容に基づく操作情報に応じて、前記本体側表示部に表示させる前記本体側表示画面を遷移させる本体側制御部と、として機能させるためのものであって、前記本体側表示部は、前記本体側表示画面として、デフォルト設定であるネイティブ画面と、前記ネイティブ画面が編集されたカスタマイズ画面との少なくとも一方が表示可能であり、前記ネイティブ画面及び前記カスタマイズ画面のそれぞれは、互いに相関関係のある複数の操作画面を含み、前記操作画面は、操作を受け付ける操作項目を含み、前記本体側制御部は、前記本体側表示画面として前記カスタマイズ画面が表示されている際に、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させるものである、ことを特徴とするものである。
【００２４】
このプログラムにおいても、上記の画像形成システムと同様に、端末側から遠隔操作対象である画像形成装置が遠隔操作される際、画像形成装置に表示されている操作画面を意識させることなく操作させることができる。また、遠隔側操作内容と、本体側操作内容とのつじつまを合わせることができる。
【発明の効果】
【００２５】
本発明によれば、端末側から遠隔操作対象である画像形成装置が遠隔操作される際、画像形成装置に表示されている操作画面を意識させることなく操作させることができる。
【図面の簡単な説明】
【００２６】
【図１】実施形態１に係る画像形成システム１の全体構成の一例を示す図である。
【図２】実施形態１に係るＭＦＰ１０のハードウェア構成の一例を示すブロック図である。
【図３】実施形態１に係る情報端末２０のハードウェア構成の一例を示すブロック図である。
【図４】実施形態１に係るＭＦＰ１０の機能構成の一例を示すブロック図である。
【図５】実施形態１に係る情報端末２０の機能構成の一例を示すブロック図である。
【図６】実施形態１において、ネイティブ画面のメインメニューと、カスタマイズ画面との対応表の一例を示す図である。
【図７】実施形態１において、ネイティブ画面のコピーメニューと、カスタマイズ画面との対応表の一例を示す図である。
【図８】実施形態１において、ネイティブ画面の用紙設定メニューと、カスタマイズ画面との対応表の一例を示す図である。
【図９】実施形態１において、ネイティブ画面の応用設定メニューと、カスタマイズ画面との対応表の一例を示す図である。
【図１０】実施形態１において、ネイティブ画面に含まれる操作画面の階層と、カスタマイズ画面に含まれる操作画面の階層とを示す図である。
【図１１】実施形態１に係る画像形成システム１の制御例を説明するフローチャートである。
【図１２】実施形態１に係るカスタマイズ画面遷移処理を説明するフローチャートである。
【図１３】実施形態１に係るネイティブ画面の構成例を示す図である。
【図１４】実施形態１に係るカスタマイズ画面の構成例を示す図である。
【図１５】実施形態２に係る画像形成システム１の制御例を説明するフローチャートである。
【図１６】実施形態２に係るネイティブ画面の構成例を示す図である。
【図１７】実施形態３に係る画像形成システム１の制御例を説明するフローチャートである。
【図１８】実施形態３に係る本体側操作画面遷移処理を説明するフローチャートである。
【図１９】実施形態３に係るリモート端末側操作画面遷移処理を説明するフローチャートである。
【図２０】実施形態４に係る画像形成システム１の制御例を説明するフローチャートである。
【図２１】実施形態４に係るツリー情報の表示例を示す図である。
【発明を実施するための形態】
【００２７】
以下、図面に基づいて本発明の実施形態を説明するが、本発明は以下の実施形態に限られるものではない。
【００２８】
実施形態１．
図１は、実施形態１に係る画像形成システム１の全体構成の一例を示す図である。図１に示すように、画像形成システム１は、画像形成装置として機能するＭＦＰ（Ｍｕｌｔｉ  Ｆｕｎｃｔｉｏｎ  Ｐｅｒｉｐｈｅｒａｌ）１０ａ〜１０ｃ及び情報端末２０ａ，２０ｂを含み、それぞれが通信媒体３に接続されている。また、画像形成システム１は、無線局３０を含み、無線局３０が通信媒体３に接続されている。
【００２９】
情報端末２０ａは、ＭＦＰ１０ａ〜１０ｃを制御するための各種ドライバプログラムがインストールされている。なお、ＭＦＰ１０ａ〜１０ｃの種類が異なる場合、情報端末２０ａには、ＭＦＰ１０ａ〜１０ｃを制御するための３種類の各種ドライバプログラムがそれぞれインストールされる。
【００３０】
ＭＦＰ１０ａ〜１０ｃのそれぞれは、原稿を読み取るための原稿読取機能、画像データに基づいて紙等の記録媒体に画像を形成するための画像形成機能、及びファクシミリデータを送受信するファクシミリ送受信機能が実現される。つまり、ＭＦＰ１０ａ〜１０ｃのそれぞれは、画像形成装置として機能するものである。なお、ＭＦＰ１０ａ〜ＭＦＰ１０ｃのそれぞれは同一の機能が実現されるものであり、何れか１台を特に限定しない場合、ＭＦＰ１０と称する。
【００３１】
通信媒体３は、例えば、ローカルエリアネットワークを構成し、接続形態は有線及び無線の何れであってもよい。また、通信媒体３は、インターネット等のワイドエリアネットワークに接続されている。なお、通信媒体３は、ローカルエリアネットワークに限定されず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を構成してもよい。
【００３２】
情報端末２０ｂは、携帯電話の機能が実現される端末であり、携帯電話用基地局と無線を介して通信することにより携帯電話網に接続し、通話が可能となる。また、情報端末２０ｂは、無線ＬＡＮ通信機能が実現される端末である。
【００３３】
無線局３０は、通信媒体３に接続された中継装置であり、無線ＬＡＮ通信機能が実現される情報端末２０ｂと通信することにより、情報端末２０ｂと接続する。なお、ＭＦＰ１０は、通信媒体３を介して情報端末２０ａとデータの送受信が可能であり、通信媒体３及び無線局３０を介して情報端末２０ｂとデータの送受信が可能となる。
【００３４】
なお、ＭＦＰ１０に無線ＬＡＮ通信機能が実装されている場合、ＭＦＰ１０は、無線局３０を介さずに、情報端末２０とデータの送受信が可能となる。
【００３５】
つまり、情報端末２０ａ，２０ｂは、ＭＦＰ１０と通信が可能なものである。例えば、情報端末２０ａは、ＭＦＰ１０と通信を確立させ、ＭＦＰ１０を遠隔操作することが可能であり、リモート端末として機能し得る。情報端末２０ｂも同様である。なお、情報端末２０ａ，２０ｂの何れかを特に区別しない場合、情報端末２０と称する。
【００３６】
次に、情報端末２０によるＭＦＰ１０の遠隔操作の概要について説明する。図２は、実施形態１に係るＭＦＰ１０のハードウェア構成の一例を示すブロック図である。図３は、実施形態１に係る情報端末２０のハードウェア構成の一例を示すブロック図である。
【００３７】
図２に示すように、ＭＦＰ１０は、メイン回路１１０と、自動原稿搬送装置１２０と、原稿読取部１３０と、画像形成部１４０と、給紙部１５０と、操作パネル１６０とを含む。また、図３に示すように、情報端末２０は、ＣＰＵ２０１と、記憶部２０３と、端末側表示部２０６と、端末側操作部２０７と、端末側通信部２０８とを含む。
【００３８】
なお、情報端末２０ｂは、上記に加え、不図示の撮像部、無線通信部、及び通話部を含む。
【００３９】
自動原稿搬送装置１２０は、原稿を原稿読取部１３０に搬送する。原稿読取部１３０は、自動原稿搬送装置１２０により搬送された原稿を読み取る。画像形成部１４０は、原稿読取部１３０により読み取られた原稿の画像データに基づいて用紙等の記録媒体に画像を形成する。給紙部１５０は、画像形成部１４０に用紙等の記録媒体を供給する。
【００４０】
操作パネル１６０は、例えば、ＭＦＰ１０の上面側に設けられ、本体側表示部１６１及び本体側操作部１６３を含む。
【００４１】
本体側表示部１６１は、表示装置であり、例えば、液晶表示装置からなる。本体側表示部１６１は、ユーザーへの指示メニュー及び原稿読取部１３０により読み取られた原稿の画像データに関する情報等を含む本体側表示画面を表示する。
【００４２】
本体側表示部１６１は、本体側表示画面として、デフォルト設定であるネイティブ画面と、ネイティブ画面が編集されたカスタマイズ画面との少なくとも一方が表示可能である。ネイティブ画面及びカスタマイズ画面のそれぞれは、互いに相関関係のある複数の操作画面を含む。操作画面は、操作を受け付ける操作項目を含む。なお、操作画面及び操作項目の詳細については後述する。
【００４３】
本体側操作部１６３は、ユーザーの操作による指示を受け付ける。本体側操作部１６３は、ハードキー部１６７を含む。ハードキー部１６７は、複数のキーからなる。複数のキーのそれぞれは、各種の指示、文字、及び数字等のデータの入力を受け付けるものである。本体側操作部１６３は、タッチパネル１６５を含む。タッチパネル１６５は、本体側表示部１６１上に設けられ、本体側表示部１６１の表示画面が触れられた場所に対応する座標を検出する。なお、ハードキー部１６７はなくてもよい。
【００４４】
メイン回路１１０は、本体側制御部１１１と、ネットワーク接続部１１２と、ＲＯＭ１１３と、ＲＡＭ１１４と、ＨＤＤ１１５と、ファクシミリ部１１６と、外部記憶装置１１７とを含む。
【００４５】
本体側制御部１１１は、ＣＰＵから構成されるものであり、自動原稿搬送装置１２０、原稿読取部１３０、画像形成部１４０、給紙部１５０、及び操作パネル１６０と接続され、ＭＦＰ１０全体を制御する。
【００４６】
本体側制御部１１１は、端末側通信部２０８により送信された操作情報に応じて、本体側表示部１６１に表示させる本体側表示画面を遷移させる。具体的には、本体側制御部１１１は、操作項目のうち、端末側表示画面を介して選択された操作項目がカスタマイズ画面に含まれる操作項目として存在する場合、本体側表示画面を介して操作され得る本体側操作内容に対応する操作項目のうち、直近で行われた遠隔側操作内容に対応する操作項目にたどり着くまで、カスタマイズ画面に含まれる操作画面を遷移させる。なお、端末側通信部２０８及び端末側表示画面の詳細については後述する。
【００４７】
ネットワーク接続部１１２は、ＭＦＰ１０を通信媒体３に接続するインターフェースである。よって、本体側制御部１１１は、ネットワーク接続部１１２を介して、ＭＦＰ１０ａ〜１０ｃ又は情報端末２０と通信することにより、各種データを送受信する。ネットワーク接続部１１２は、通信媒体３を介してインターネットに接続された各種機器と通信が可能である。
【００４８】
ＲＯＭ１１３は、本体側制御部１１１が実行するプログラム又はそのプログラムを実行するために必要なデータを記憶する。ＲＡＭ１１４は、本体側制御部１１１がプログラムを実行する際の作業領域として用いられる。ＲＡＭ１１４は、原稿読取部１３０から連続的に送られてくる原稿の画像データを一時的に記憶する。
【００４９】
ファクシミリ部１１６は、公衆交換電話網（ＰＳＴＮ）に接続される。ファクシミリ部１１６は、公衆交換電話網にファクシミリデータを送信する。ファクシミリ部１１６は、公衆交換電話網からファクシミリデータを受信する。ファクシミリ部１１６は、受信したファクシミリデータをＨＤＤ１１５に記憶する、又は画像形成部１４０に出力する。
【００５０】
よって、画像形成部１４０は、ファクシミリ部１１６により受信されたファクシミリデータを用紙にプリントすることができる。ファクシミリ部１１６は、ＨＤＤ１１５に記憶されたデータをファクシミリデータに変換し、公衆交換電話網に接続された不図示のファクシミリ装置に送信する。なお、ＨＤＤ１１５は、大容量記憶装置として機能するものであり、例えば、ハードディスクドライブからなる。なお、ファクシミリ部１１６はなくてもよい。
【００５１】
外部記憶装置１１７は、ＣＤ−ＲＯＭ１１８が装着される。これにより、本体側制御部１１１は、外部記憶装置１１７を介してＣＤ−ＲＯＭ１１８にアクセス可能である。本体側制御部１１１は、外部記憶装置１１７に装着されたＣＤ−ＲＯＭ１１８に記憶されたプログラムを、ＲＡＭ１１４にロードして実行する。なお、外部記憶装置１１７はなくてもよい。
【００５２】
なお、画像形成システム１において、ＭＦＰ１０と、情報端末２０との間で、データが送受信される際、データを送受信するプロトコルは、受信側の装置において送信元を特定することができれば、任意のプロトコルを用いることができる。データを送受信するプロトコルは、例えば、ＨＴＴＰ（ＨｙｐｅｒＴｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、ＳＭＰＴ（Ｓｉｍｐｌｅ  Ｍａｉｌ  Ｔｒａｎｓｆｅｒ  Ｐｒｏｔｏｃｏｌ）、及びＰＯＰ（Ｐｏｓｔ  Ｏｆｆｉｃｅ  Ｐｒｏｔｏｃｏｌ）等が用いられる。
【００５３】
記憶部２０３は、ＣＰＵ２０１が実行するプログラム、又はそのプログラムを実行するために必要なデータを記憶する。ＣＰＵ２０１は、記憶部２０３に記憶されたプログラムを、ＣＰＵ２０１が含まれる不図示のＲＡＭにロードして実行する。
【００５４】
端末側表示部２０６は、表示装置であり、例えば、液晶表示装置からなる。端末側表示部２０６は、ユーザーへの指示メニューを表示する。端末側表示部２０６は、端末側通信部２０８により取得された各種データに関する情報等を含む端末側表示画面を表示する。
【００５５】
端末側操作部２０７は、ユーザーの操作による指示を受け付ける。端末側操作部２０７は、ハードキー部２１２を含む。ハードキー部２１２は、複数のキーからなる。複数のキーのそれぞれは、各種の指示、文字、及び数字等のデータの入力を受け付けるものである。端末側操作部２０７は、タッチパネル２１１を含む。タッチパネル２１１は、端末側表示部２０６上に設けられ、端末側表示部２０６の表示画面が触れられた場所に対応する座標を検出する。なお、ハードキー部２１２はなくてもよい。
【００５６】
端末側通信部２０８は、例えば無線局３０と通信し、情報端末２０を通信媒体３に接続するためのインターフェースである。情報端末２０に予めＭＦＰ１０ａ〜１０ｃのそれぞれのＩＰ（Ｉｎｔｅｒｎｅｔ  Ｐｒｏｔｏｃｏｌ）アドレスを登録しておくことにより、ＭＦＰ１０ａ〜１０ｃのそれぞれと通信することができ、データの送受信が可能となる。なお、端末側通信部２０８は、無線局３０との通信に限らず、各種機器と通信可能であり、情報端末２０と、ＭＦＰ１０との通信を実現させるものである。
【００５７】
端末側通信部２０８は、端末側表示部２０６に表示された端末側表示画面を介して操作された遠隔側操作内容に基づく操作情報を画像形成装置に送信する。
【００５８】
次に、情報端末２０によりＭＦＰ１０を遠隔する機能構成について説明する。図４は、実施形態１に係るＭＦＰ１０の機能構成の一例を示すブロック図である。図５は、実施形態１に係る情報端末２０の機能構成の一例を示すブロック図である。
【００５９】
本体側制御部１１１が、ＲＯＭ１１３、ＨＤＤ１１５、又はＣＤ−ＲＯＭ１１８に記憶された各種プログラムを実行することにより、図４に示すような、リモート操作制御部５１及び操作画面制御部５３を含む各種機能が実現される。
【００６０】
リモート操作制御部５１は、リモート操作を行う機能が例えばプログラムモジュールとして構成される。リモート操作制御部５１は、操作画面通知部６１と、操作情報受信部６２とを含む。
【００６１】
操作画面制御部５３は、操作画面を制御する機能が例えばプログラムモジュールとして構成される。操作画面制御部５３は、ネイティブ画面制御部７１と、カスタマイズ画面制御部７２とを含む。
【００６２】
リモート操作制御部５１は、リモート端末からリモートアクセス要求があった場合、現在表示されているカスタマイズ画面のカスタマイズ画面情報を取得し、該当する操作画面の作成要求をネイティブ画面制御部７１に通知する。
【００６３】
リモート操作制御部５１は、ネイティブ画面制御部７１により作成されたネイティブ画面をリモート端末に送信する。このようにすることで、リモート端末では、ネイティブ画面が端末側表示部２０６により表示される。よって、端末側操作部２０７は、端末側表示部２０６により表示されたネイティブ画面を介した操作を受け付けることが可能となる。
【００６４】
よって、リモート操作制御部５１は、リモート端末による遠隔操作内容に基づく操作情報により、ネイティブ画面に含まれる複数の操作画面のうち、どの操作画面が操作されたかを判定すると共に、操作された操作画面に含まれる複数の操作項目のうち、どの操作項目が操作されたかを判定する。それらの判定結果は、カスタマイズ画面制御部７２に通知される。
【００６５】
これにより、カスタマイズ画面制御部７２は、通知結果に基づいてカスタマイズ画面の遷移を行うことができる。
【００６６】
次に、操作画面通知部６１、操作情報受信部６２、ネイティブ画面制御部７１、及びカスタマイズ画面制御部７２のそれぞれの機能について説明する。
【００６７】
操作画面通知部６１は、ネイティブ画面制御部７１又はカスタマイズ画面制御部７２により作成された操作画面をリモート端末に通信媒体３を介して通知する。
【００６８】
操作情報受信部６２は、リモート端末から操作情報を受信する。操作情報受信部６２は、受信した操作情報に基づき操作内容を判定する。操作情報受信部６２は、操作内容の判定結果を操作画面制御部５３に通知する。
【００６９】
ネイティブ画面制御部７１は、例えば、ファームウェアが作成する操作画面の表示制御を行う。ファームウェアが作成する操作画面のそれぞれは、本体側表示画面のデフォルト設定であるネイティブ画面となる。つまり、ネイティブ画面制御部７１は、ネイティブ画面を生成し、生成結果を出力する。なお、本体側表示画面のデフォルト設定は、ネイティブ画面情報として構成される。
【００７０】
カスタマイズ画面制御部７２は、ユーザーが任意に作成した操作画面の表示制御を行う。ユーザーが任意に作成した操作画面のそれぞれは、ネイティブ画面が編集されたカスタマイズ画面となる。つまり、カスタマイズ画面制御部７２は、カスタマイズ画面を生成し、生成結果を出力し、本体側表示部１６１にカスタマイズ画面を表示させる。なお、ネイティブ画面が編集された情報は、カスタマイズ画面情報として構成される。
【００７１】
要するに、カスタマイズ画面は、ネイティブ画面の部分集合である。カスタマイズ画面は、ネイティブ画面の範囲内で、カスタマイズされたものとなる。カスタマイズできることは、操作項目の配置、操作項目のサイズ、及び操作項目を含ませる操作画面等を変更することである。
【００７２】
また、操作画面は、上位から下位に渡る階層構造となる。よって、カスタマイズ機能によりカスタマイズされたカスタマイズ画面に含まれる操作画面のうち、例えば、上位の操作画面には、使用頻度の高い操作項目が含まれるようにすることができる。また、例えば、下位の操作画面には、使用頻度の低い操作項目が含まれるようにすることができる。つまり、操作項目が含まれる場所は、階層レベルでの変更が可能となる。
【００７３】
なお、ネイティブ画面に含まれる操作画面及び操作項目は、使用対象のＭＦＰ１０の仕様に応じて変更され得る。この場合、カスタマイズ画面は、その変更されたネイティブ画面の範囲内において、カスタマイズが可能となる。
【００７４】
なお、図示は省略するが、本体側制御部１１１が、各種プログラムを実行することにより、画像処理部を含む機能が実現される。
【００７５】
画像処理部は、各種指令に応じて、画像形成部１４０に画像形成指令を出力する。画像処理部は、受信された操作信号に基づいて画像に関連する処理を実行する。操作信号は、遠隔操作の主体となり得る情報端末２０から送信される。例えば、情報端末２０において表示されている操作画面が操作された場合、操作信号が生成され、遠隔操作対象であるＭＦＰ１０にその操作信号が送信される。
【００７６】
画像処理部は、画像に関連する処理を実行する際、操作信号の受信を契機として、操作信号に含まれる、操作項目位置情報と、画面識別情報と、に基づいて、操作画面を介して操作された操作内容と、操作画面を介して操作され得る操作内容とを関連付ける。
【００７７】
また、ＣＰＵ２０１が、記憶部２０３等に記憶された各種プログラムを実行することにより、図５に示すような、端末側表示制御部８１、座標検出部８３、演算部８４、及び操作情報通知部８５を含む各種機能が実現される。
【００７８】
端末側表示制御部８１は、記憶部２０３に記憶されたデータを端末側表示部２０６に表示させる。記憶部２０３は、端末側通信部２０８を介して取得される操作画面が保持されている。つまり、端末側表示制御部８１は、記憶部２０３に記憶された操作画面を端末側表示部２０６に表示させる。
【００７９】
座標検出部８３は、端末側表示部２０６により表示された操作画面の操作内容を端末側操作部２０７が受け付けた場合、端末側操作部２０７が操作された位置情報を座標情報として検出する。例えば、操作画面に複数の操作項目が表示され、その複数の操作項目の何れかが操作された場合、座標検出部８３は、その操作された操作項目位置情報を、座標情報として検出する。
【００８０】
演算部８４は、操作画面を介して操作された操作内容に基づいて、操作情報を生成する。操作情報は、操作画面識別情報と、操作項目位置情報とを含む。
【００８１】
操作画面識別情報は、複数の操作画面のうち、操作時の操作画面を識別する識別情報である。例えば、識別情報として、複数の操作画面に昇順に番号が付与されている場合、直近で行われた操作のときの操作画面は、番号により特定可能である。よって、情報端末２０によるＭＦＰ１０の遠隔操作の最中、情報端末２０と、ＭＦＰ１０との通信が断絶したとしても、その番号を参照することにより、遠隔操作を通信断絶時の状態から再開させることができる。なお、操作画面識別情報は、上記一例に限定されるものではない。例えば、時刻を基準としてもよい。また、直近で行われた操作のときの操作画面について説明しているが、過去に行われた操作のうち、直近の１つ手前の操作であってもよい。つまり、過去に行われた操作のうち、予め設定されたタイミングの操作のときの操作画面が、操作時の操作画面として識別されてもよい。
【００８２】
操作項目位置情報は、操作画面に含まれる操作項目の座標情報に基づいて生成される情報である。例えば、操作画面に含まれる操作項目として、コピー、スキャン、及びＦＡＸの動作指令機能が含まれ、そのうち、コピーの動作指令機能が選択された場合、選択された場所に対応する座標情報を含む情報が、操作項目位置情報として生成される。
【００８３】
操作情報通知部８５は、演算部８４により生成された操作情報を送信する。例えば、操作情報通知部８５は、端末側通信部２０８を介して、操作情報をＭＦＰ１０に送信する。
【００８４】
次に、ネイティブ画面と、カスタマイズ画面との対応関係について説明する。図６は、実施形態１において、ネイティブ画面のメインメニューと、カスタマイズ画面との対応表の一例を示す図である。図７は、実施形態１において、ネイティブ画面のコピーメニューと、カスタマイズ画面との対応表の一例を示す図である。図８は、実施形態１において、ネイティブ画面の用紙設定メニューと、カスタマイズ画面との対応表の一例を示す図である。図９は、実施形態１において、ネイティブ画面の応用設定メニューと、カスタマイズ画面との対応表の一例を示す図である。
【００８５】
図６においては、カスタマイズ画面は、ネイティブ画面のメインメニューに含まれる選択肢のうち、一部のものだけが含まれるように編集されたものとなっている。図７においては、カスタマイズ画面は、ネイティブ画面のコピーメニューに含まれる機能及び選択肢のうち、一部のものだけが含まれるように編集されたものとなっている。
【００８６】
図８においては、カスタマイズ画面は、ネイティブ画面の用紙設定メニューに含まれる機能及び選択肢のうち、一部のものだけが含まれると共に、ネイティブ画面の画面とは異なる画面に上記機能及び選択肢が含まれるように編集されたものとなっている。図９においては、カスタマイズ画面は、ネイティブ画面の応用設定メニューに含まれる機能及び選択肢のうち、一部のものだけが含まれると共に、ネイティブ画面の画面とは異なる画面に上記機能及び選択肢が含まれるように編集されたものとなっている。
【００８７】
このように、ネイティブ画面と、カスタマイズ画面との対応表において、画面、機能、選択肢のようなそれぞれの項目を、操作項目とすると、操作項目は、操作画面に含まれ、操作画面は、複数の階層から構成されるものとみなせる。図１０は、実施形態１において、ネイティブ画面に含まれる操作画面の階層と、カスタマイズ画面に含まれる操作画面の階層とを示す図である。
【００８８】
図１０に示すように、ネイティブ画面においては、操作項目が、“メイン”、“コピー”、“用紙設定”、“パンチ”、及び“しない”の順に操作された場合、操作画面は、操作画面Ｎｏ．１〜Ｎｏ．３に遷移される。
【００８９】
図１０のネイティブ画面における操作内容がされた場合、図１０のカスタマイズ画面における操作内容になると想定される。すなわち、カスタマイズ画面においては、操作項目が、“メイン”、“コピー”、“その他の設定”、“パンチ”、及び“しない”の順に操作され得る場合、操作画面は、操作画面Ｎｏ．１〜Ｎｏ．３に遷移され得る。
【００９０】
このように、ネイティブ画面を介して遠隔操作が行われた場合、現在の操作画面から該当する操作画面及び該当する操作項目まで順番にカスタマイズ画面に含まれる操作画面の画面遷移が行われることが可能となる。
【００９１】
要するに、カスタマイズ画面は、複数の操作画面を含み、その複数の操作画面のそれぞれは、複数の操作項目を含む。同様に、ネイティブ画面は、複数の操作画面を含み、その複数の操作画面のそれぞれは、複数の操作項目を含む。カスタマイズ画面は、ネイティブ画面の部分集合となる。よって、カスタマイズ画面に含まれる操作画面の操作項目は、ネイティブ画面に含まれる操作画面の操作項目の何れかとなる。
【００９２】
次に、上記で説明した一連の処理について説明する。図１１は、実施形態１に係る画像形成システム１の制御例を説明するフローチャートである。図１２は、実施形態１に係るカスタマイズ画面遷移処理を説明するフローチャートである。図１３は、実施形態１に係るネイティブ画面の構成例を示す図である。図１４は、実施形態１に係るカスタマイズ画面の構成例を示す図である。
【００９３】
（画像形成装置側処理）
（ステップＳ１１）
カスタマイズ画面が本体側表示部１６１に表示され、ステップＳ１２に進む。例えば、ＭＦＰ１０に電源が投入された後、イニシャライズ処理等を経て、予め編集されたカスタマイズ画面が本体側表示部１６１に表示される。
【００９４】
（ステップＳ１２）
リモート端末からリモートアクセス要求が受信されたか否かが判定される。リモート端末からリモートアクセス要求が受信された場合、ステップＳ１３に進む。一方、リモート端末からリモートアクセス要求が受信されない場合、ステップＳ１２のままとなる。例えば、ＭＦＰ１０は、情報端末２０ａ又は情報端末２０ｂからリモートアクセス要求を受信したか否かを判定する。
【００９５】
（ステップＳ１３）
現在表示されているカスタマイズ画面のカスタマイズ画面情報が取得され、ステップＳ１４に進む。
【００９６】
（ステップＳ１４）
取得されたカスタマイズ画面情報に対応するネイティブ画面に含まれる操作画面が生成され、ステップＳ１５に進む。
【００９７】
（ステップＳ１５）
ネイティブ画面に含まれる操作画面がリモート端末に送信され、ステップＳ１６に進む。
【００９８】
（ステップＳ１６）
リモート端末から操作情報が受信されたか否かが判定される。リモート端末から操作情報が受信された場合、ステップＳ１７に進む。一方、リモート端末から操作情報が受信されない場合、ステップＳ１６のままとなる。
【００９９】
（ステップＳ１７）
受信された操作情報に基づいて操作内容が判定され、ステップＳ１８に進む。
【０１００】
（ステップＳ１８）
カスタマイズ画面遷移処理が実行され、処理の終了となる。なお、カスタマイズ画面遷移処理については後述する。
【０１０１】
なお、上記の処理の終了とは、図１１に示す画像形成装置側処理の終了であって、画像形成装置として機能するＭＦＰ１０自体の動作が終了するという意味ではない。
【０１０２】
（リモート端末側処理）
（ステップＳ３１）
リモートアクセス要求が画像形成装置に送信され、ステップＳ３２に進む。例えば、情報端末２０ａ又は情報端末２０ｂは、リモートアクセス要求をＭＦＰ１０に送信する。
【０１０３】
（ステップＳ３２）
画像形成装置から送信された操作画面が受信されたか否かが判定される。画像形成装置から送信された操作画面が受信された場合、ステップＳ３３に進む。一方、画像形成装置から送信された操作画面が受信されない場合、ステップＳ３２のままとなる。
【０１０４】
（ステップＳ３３）
操作画面が受信され、ステップＳ３４に進む。例えば、情報端末２０によりリモートアクセス要求により、ＭＦＰ１０は、情報端末２０のセッションを確立させ、現在表示されているカスタマイズ画面に対応するネイティブ画面に含まれる操作画面を情報端末２０に送信する。この結果、情報端末２０は、ＭＦＰ１０で表示されているカスタマイズ画面の編集元となるネイティブ画面を受信する。
【０１０５】
（ステップＳ３４）
受信した操作画面が端末側表示部２０６に表示され、ステップＳ３５に進む。例えば、情報端末２０は、ＭＦＰ１０のネイティブ画面に含まれる操作画面を端末側表示部２０６に表示し、ＭＦＰ１０を遠隔操作できる状態となる。なお、端末側表示部２０６に操作画面が表示されている間、情報端末２０と、ＭＦＰ１０との接続状態が維持されているものとする。
【０１０６】
（ステップＳ３５）
操作画面が操作されたか否かが判定される。操作画面が操作された場合、ステップＳ３６に進む。一方、操作画面が操作されない場合、ステップＳ３５のままとなる。例えば、図１３に示すように操作された場合、ステップＳ３６に進む。具体的には、図１３に示すように、端末側表示部２０６を介して、メインメニューのコピーが選択され、コピーメニューの用紙設定が選択され、用紙設定メニューのパンチの選択肢のうち“しない”が選択された一連の操作内容が、遠隔側操作内容となる。
【０１０７】
（ステップＳ３６）
操作情報が画像形成装置に送信され、処理の終了となる。例えば、情報端末２０は、操作した画面を特定する操作画面識別情報と、操作した操作項目を特定する操作項目位置情報とを含む操作情報をＭＦＰ１０に送信する。
【０１０８】
なお、上記の処理の終了とは、図１１に示すリモート端末側処理の終了であって、リモート端末として機能する情報端末２０自体の動作が終了するという意味ではない。
【０１０９】
（カスタマイズ画面遷移処理）
（ステップＳ５１）
ネイティブ画面とカスタマイズ画面との対応関係が参照される。例えば、図６〜９に示す対応表が参照される際、ネイティブ画面に含まれる操作項目が、カスタマイズ画面に含まれる操作項目に対応しているか否かが参照される。
【０１１０】
（ステップＳ５２）
操作情報に含まれる操作画面及び操作項目がカスタマイズ画面に含まれる操作画面に存在するか否かが判定される。操作情報に含まれる操作画面及び操作項目がカスタマイズ画面に含まれる操作画面に存在する場合、ステップＳ５３に進む。一方、操作情報に含まれる操作画面及び操作項目がカスタマイズ画面に含まれる操作画面に存在しない場合、ステップＳ５４に進む。
【０１１１】
（ステップＳ５３）
現在の操作画面から該当する操作画面及び該当する操作項目まで順番にカスタマイズ画面に含まれる操作画面の画面遷移が行われ、処理の終了となる。
【０１１２】
（ステップＳ５４）
現在の操作画面が保持され、ステップＳ５５に進む。
【０１１３】
（ステップＳ５５）
操作画面に含まれる操作画面及び操作項目のうち、対応関係が未確認のものがあるか否かが判定される。操作画面に含まれる操作画面及び操作項目のうち、対応関係が未確認のものがある場合、ステップＳ５１に戻る。一方、操作画面に含まれる操作画面及び操作項目のうち、対応関係が未確認のものがない場合、処理の終了となる。
【０１１４】
例えば、図１４に示すように操作画面が遷移される。具体的には、図１３に示すように、ネイティブ画面を介して、コピーメニューが選択された後、用紙設定が選択された時点においては、図１４に示すように、カスタマイズ画面には該当する操作項目が存在しない。
【０１１５】
しかし、図１３に示すように、ネイティブ画面を介して、パンチの“しない”までが選択された場合、図１４に示すように、その他の設定メニューに該当する操作項目が存在するため、そこまで操作画面が遷移される。
【０１１６】
具体的には、ネイティブ画面において、“メインメニュー”及び“コピー”の順に操作された場合、ネイティブ画面は、“コピーメニュー”に遷移する。この際、カスタマイズ画面において、“メインメニュー”及び“コピー”の順に操作されたと判定される。
【０１１７】
ネイティブ画面において、“コピーメニュー”及び“用紙設定”の順に操作された場合、ネイティブ画面は、“用紙設定メニュー”に遷移する。この際、カスタマイズ画面には対応する操作画面がないため、操作画面は遷移されることなく現在の操作画面が保持される。
【０１１８】
ネイティブ画面において、“用紙設定メニュー”、“パンチ”、及び“しない”の順に操作された場合、ネイティブ画面において、“パンチ”の設定が“しない”に変更される。この際、カスタマイズ画面において、“その他の設定”、“パンチ”、及び“しない”の順に操作されたと判定され、操作画面は“その他の設定メニュー”に遷移され、“パンチ”の設定が“しない”に変更される。
【０１１９】
なお、上記の一連の処理において、リモート端末側に操作画面を送信する際、ネイティブ画面と、カスタマイズ画面との対応表を合わせて送信してもよい。
【０１２０】
また、上記の処理の終了とは、図１２に示すカスタマイズ画面遷移処理の終了であって、画像形成装置として機能するＭＦＰ１０自体の動作が終了するという意味ではない。
【０１２１】
また、上記の一例の処理において、ステップＳ１１〜ステップＳ１８までの処理と、ステップＳ３１〜ステップＳ３６までの処理とは、適宜通信が行われつつ、それぞれが逐次実行される一例について説明したが実際には上記の具体例で説明したように、これに限定されない。
【０１２２】
例えば、ステップＳ３５において、操作画面が操作されたか否かが判定される処理は、実際には、所定のタイミングで判定されるものであり、その都度、ステップＳ３６、Ｓ１６〜Ｓ１８の処理が実行され、ステップＳ１８の処理の後、ステップＳ３５以降の処理が再び実行されることとなる。
【０１２３】
以上、画像形成装置として機能するＭＦＰ１０は、リモート端末として機能する情報端末２０により操作された遠隔操作内容に基づく操作情報に応じて、本体側表示部１６１に表示させる本体側表示画面を遷移させる。よって、リモート端末による遠隔操作において、リモート端末側の操作画面と、画像形成装置側の操作画面との差異が意識されることがない。
【０１２４】
したがって、画像形成システム１は、端末側から遠隔操作対象である画像形成装置が遠隔操作される際、画像形成装置に表示されている操作画面を意識させることなく操作させることができる。
【０１２５】
換言すれば、画像形成システム１は、リモート端末側の遠隔操作内容に基づく操作情報に応じて、本体側表示部１６１に表示させる本体側表示画面を遷移させることにより、遠隔操作時のリモート端末側の操作画面と、画像形成装置側の操作画面との差異が隠蔽化されるため、端末側から遠隔操作対象である画像形成装置が遠隔操作される際、画像形成装置に表示されている操作画面を意識させることなく操作させることができる。
【０１２６】
また、画像形成システム１において、直近で行われた遠隔側操作内容に対応する操作項目にたどり着くまで、カスタマイズ画面に含まれる操作画面が遷移されることにより、遠隔側操作内容に応じて、カスタマイズ画面に含まれる操作画面がネイティブ画面に含まれる操作画面に追従されるため、遠隔側操作内容と、本体側操作内容とのつじつまを合わせることができる。
【０１２７】
このようにして、本実施形態に係る画像形成システム１によれば、リモート端末と、リモート端末と通信可能な画像形成装置とを備える画像形成システム１であって、リモート端末は、端末側表示画面を表示する端末側表示部２０６と、端末側表示部２０６に表示された端末側表示画面を介して操作された遠隔側操作内容に基づく操作情報を画像形成装置に送信する端末側通信部２０８とを備え、画像形成装置は、本体側表示画面を表示する本体側表示部１６１と、端末側通信部２０８により送信された操作情報に応じて、本体側表示部１６１に表示させる本体側表示画面を遷移させる本体側制御部１１１とを備える。
【０１２８】
これにより、画像形成システム１は、端末側から遠隔操作対象である画像形成装置が遠隔操作される際、画像形成装置に表示されている操作画面を意識させることなく操作させることができる。
【０１２９】
また、本実施形態に係る画像形成システム１によれば、本体側表示部１６１は、本体側表示画面として、デフォルト設定であるネイティブ画面と、ネイティブ画面が編集されたカスタマイズ画面との少なくとも一方が表示可能であり、ネイティブ画面及びカスタマイズ画面のそれぞれは、互いに相関関係のある複数の操作画面を含み、操作画面は、操作を受け付ける操作項目を含み、本体側制御部１１１は、操作項目のうち、端末側表示画面を介して選択された操作項目がカスタマイズ画面に含まれる操作項目として存在する場合、本体側表示画面を介して操作され得る本体側操作内容に対応する操作項目のうち、直近で行われた遠隔側操作内容に対応する操作項目にたどり着くまで、カスタマイズ画面に含まれる操作画面を遷移させる。
【０１３０】
これにより、画像形成システム１は、遠隔側操作内容と、本体側操作内容とのつじつまを合わせることができる。
【０１３１】
また、本実施形態に係る画像形成装置によれば、本体側表示画面を表示する本体側表示部１６１と、本体側表示画面がリモート端末の端末側表示画面に表示され、端末側表示画面を介して操作された遠隔側操作内容に基づく操作情報に応じて、本体側表示部１６１に表示させる本体側表示画面を遷移させる本体側制御部１１１とを含む。
【０１３２】
これにより、画像形成装置は、上記画像形成システム１の場合と同様に、端末側から遠隔操作対象である画像形成装置が遠隔操作される際、画像形成装置に表示されている操作画面を意識させることなく操作させることができる。
【０１３３】
実施形態２．
実施形態２において、実施形態１と同様の構成及び機能についてはその説明を省略する。実施形態２では、ネイティブ画面に存在し、カスタマイズ画面に存在しない操作項目を操作不可能状態とする機能について説明する。
【０１３４】
図１５は、実施形態２に係る画像形成システム１の制御例を説明するフローチャートである。図１６は、実施形態２に係るネイティブ画面の構成例を示す図である。
【０１３５】
なお、図１１におけるステップＳ１１〜Ｓ１３の処理と、図１５におけるステップＳ７１〜Ｓ７３の処理とは同様であるのでその説明については省略する。また、図１１におけるステップＳ１５〜Ｓ１８の処理と、図１５におけるステップＳ７５〜Ｓ７８の処理とは同様であるのでその説明については省略する。また、図１１におけるステップＳ３１〜Ｓ３３，Ｓ３５，Ｓ３６の処理と、図１５におけるステップＳ９１〜Ｓ９３，Ｓ９５，Ｓ９６の処理とは同様であるのでその説明については省略する。
【０１３６】
（画像形成装置側処理）
（ステップＳ７４）
取得されたカスタマイズ画面情報に対応するネイティブ画面に含まれる操作画面が生成される際、カスタマイズ画面に存在しないものが操作不可能状態とされる。例えば、図１３のネイティブ画面と、図１４のカスタマイズ画面とを比較した場合、メインメニューの操作項目のうち、“ＦＡＸ”，“ブラウザ”，及び“Ａｐｐｌｉｃａｔｉｏｎ”は、ネイティブ画面にあってカスタマイズ画面に存在しない。このような操作項目が、カスタマイズ画面における操作不可能状態の操作項目となる。
【０１３７】
また、図１３のネイティブ画面と、図１４のカスタマイズ画面とを比較した場合、応用設定メニューの操作項目のうち、“原稿外自動消去”及び“ブック連写”は、ネイティブ画面にあってカスタマイズ画面に存在しない。このような操作項目が、カスタマイズ画面における操作不可能状態の操作項目となる。
【０１３８】
また、図１３のネイティブ画面と、図１４のカスタマイズ画面とを比較した場合、用紙設定メニューの操作項目のうち、“ステイプル”は、ネイティブ画面にあってカスタマイズ画面に存在しない。このような操作項目が、カスタマイズ画面における操作不可能状態の操作項目となる。
【０１３９】
（リモート端末側処理）
（ステップＳ９４）
受信された操作画面が端末側表示部２０６に表示される。例えば、図１６に示すように、操作画面に含まれる操作項目のうち、操作不可能状態の操作項目は、例えば、網掛け状態で表示される。
【０１４０】
以上、実施形態２に係る画像形成システム１において、操作不可能状態とした設定内容を含んだネイティブ画面に含まれる操作画面がリモート端末に送信されることにより、リモート端末は操作不可能状態を含めた操作画面が表示可能となるため、カスタマイズ画面と同様の操作項目を可視化することができる。
【０１４１】
以上、本実施形態に係る画像形成システム１によれば、画像形成装置は、リモート端末からリモートアクセス要求があった場合、ネイティブ画面に存在し、カスタマイズ画面に存在しない操作項目を、操作不可能状態とした設定内容を含んだネイティブ画面に含まれる操作画面をリモート端末に送信する。
【０１４２】
これにより、カスタマイズ画面と同様の操作項目を可視化することができる。
【０１４３】
実施形態３．
実施形態３において、実施形態１，２と同様の構成及び機能についての説明は省略する。実施形態３では、ネイティブ画面だけでなく、カスタマイズ画面も含めた操作画面をリモート端末に送信する機能について説明する。
【０１４４】
図１７は、実施形態３に係る画像形成システム１の制御例を説明するフローチャートである。図１８は、実施形態３に係る本体側操作画面遷移処理を説明するフローチャートである。図１９は、実施形態３に係るリモート端末側操作画面遷移処理を説明するフローチャートである。
【０１４５】
なお、図１１におけるステップＳ１１〜Ｓ１７の処理と、図１７におけるステップＳ１０１〜Ｓ１０７の処理とは同様であるのでその説明については省略する。また、図１１におけるステップＳ３１〜Ｓ３６の処理と、図１７におけるステップＳ１３１〜Ｓ１３６の処理とは同様であるのでその説明については省略する。
【０１４６】
また、本体側操作画面遷移処理において、リモート端末側カスタマイズ画面遷移フラグのデフォルト値は、０以外の値であればよい。
【０１４７】
（画像形成装置側処理）
（ステップＳ１０８）
本体側操作画面遷移処理が実行され、処理の終了となる。なお、本体側操作画面遷移処理の詳細については後述する。
【０１４８】
なお、上記の処理の終了とは、図１７に示す画像形成装置側処理の終了であって、画像形成装置として機能するＭＦＰ１０自体の動作が終了するという意味ではない。
【０１４９】
（リモート端末側処理）
（ステップＳ１３７）
本体側表示部１６１の操作画面が遷移されたか否かが判定される。本体側表示部１６１の操作画面が遷移された場合、ステップＳ１３８に進む。一方、本体側表示部１６１の操作画面が遷移されない場合、ステップＳ１３７のままとなる。
【０１５０】
（ステップＳ１３８）
リモート端末側操作画面遷移処理が実行され、処理の終了となる。なお、リモート端末側操作画面遷移処理の詳細については後述する。
【０１５１】
なお、上記の処理の終了とは、図１７に示すリモート端末側処理の終了であって、リモート端末として機能する情報端末２０自体の動作が終了するという意味ではない。
【０１５２】
（本体側操作画面遷移処理）
（ステップＳ１５１）
操作情報に含まれる操作画面がネイティブ画面に対応するか否かが判定される。操作情報に含まれる操作画面がネイティブ画面に対応する場合、ステップＳ１６０に進む。一方、操作情報に含まれる操作画面がネイティブ画面に対応しない場合、ステップＳ１５２に進む。
【０１５３】
（ステップＳ１５２）
カスタマイズ画面とネイティブ画面との対応関係が参照され、ステップＳ１５３に進む。例えば、図６〜９に示す対応表が参照される際、カスタマイズ画面に含まれる操作項目が、ネイティブ画面に含まれる操作項目に対応しているか否かが参照される。
【０１５４】
（ステップＳ１５３）
カスタマイズ画面に対応するネイティブ画面のネイティブ画面情報が更新され、ステップＳ１５４に進む。
【０１５５】
（ステップＳ１５４）
更新されたネイティブ画面情報がリモート端末に送信され、ステップＳ１５５に進む。具体的には、更新されたネイティブ画面情報に対応するネイティブ画面に含まれる操作画面が生成され、生成された操作画面がリモート端末に送信される。
【０１５６】
（ステップＳ１５５）
カスタマイズ画面遷移処理が実行され、ステップＳ１５６に進む。カスタマイズ画面遷移処理は、図１２を用いて上記で説明した処理である。
【０１５７】
（ステップＳ１５６）
リモート端末側カスタマイズ画面遷移フラグが０であるか否かが判定される。リモート端末側カスタマイズ画面遷移フラグが０である場合、ステップＳ１５７に進む。一方、リモート端末側カスタマイズ画面遷移フラグが０でない場合、処理の終了となる。
【０１５８】
（ステップＳ１５７）
現在表示されているカスタマイズ画面のカスタマイズ画面情報が取得され、ステップＳ１５８に進む。
【０１５９】
（ステップＳ１５８）
取得されたカスタマイズ画面情報に基づいてカスタマイズ画面に含まれる操作画面が生成され、ステップＳ１５９に進む。
【０１６０】
（ステップＳ１５９）
カスタマイズ画面に含まれる操作画面がリモート端末に送信され、処理の終了となる。
【０１６１】
（ステップＳ１６０）
リモート端末側カスタマイズ画面遷移フラグが０に設定され、ステップＳ１５５に進む。
【０１６２】
なお、上記の処理の終了とは、図１８に示す本体側操作画面遷移処理の終了であって、画像形成装置として機能するＭＦＰ１０自体の動作が終了するという意味ではない。
【０１６３】
（リモート端末側操作画面遷移処理）
（ステップＳ１７１）
更新されたネイティブ画面情報が送信されたか否かが判定される。更新されたネイティブ画面情報が送信された場合、ステップＳ１７２に進む。一方、更新されたネイティブ画面情報が送信されない場合、ステップＳ１７３に進む。
【０１６４】
（ステップＳ１７２）
ネイティブ画面に含まれる操作画面が遷移され、処理の終了となる。
【０１６５】
（ステップＳ１７３）
カスタマイズ画面に含まれる操作画面が遷移され、処理の終了となる。
【０１６６】
なお、上記の処理の終了とは、図１９に示すリモート端末側操作画面遷移処理の終了であって、リモート端末として機能する情報端末２０自体の動作が終了するという意味ではない。
【０１６７】
なお、上記の一例の処理において、ステップＳ１０１〜ステップＳ１０８までの処理と、ステップＳ１３１〜ステップＳ１３８までの処理とは、それぞれが逐次実行される一例について説明したが実際には上記の具体例で説明したように、これに限定されない。
【０１６８】
例えば、ステップＳ１３５において、操作画面が操作されたか否かが判定される処理は、実際には、所定のタイミングで判定されるものであり、その都度、ステップＳ１３６〜Ｓ１３８、Ｓ１０６〜Ｓ１０８の処理が実行され、ステップＳ１０８の処理の後、ステップＳ１３５以降の処理が再び実行されることとなる。
【０１６９】
以上、実施形態３に係る画像形成システム１において、ネイティブ画面及びカスタマイズ画面のそれぞれに含まれる操作画面がリモート端末に送信されることにより、リモート端末は、ネイティブ画面及びカスタマイズ画面の何れの操作画面も表示することができるため、ネイティブ画面に含まれる操作画面と、カスタマイズ画面に含まれる操作画面との相違点を可視化することができ、リモート端末から遠隔操作をするものに注意喚起を促すことができる。
【０１７０】
以上、本実施形態に係る画像形成システム１によれば、画像形成装置は、リモート端末からリモートアクセス要求があった場合、ネイティブ画面及びカスタマイズ画面のそれぞれに含まれる操作画面を前記リモート端末に送信する。
【０１７１】
これにより、ネイティブ画面に含まれる操作画面と、カスタマイズ画面に含まれる操作画面との相違点を可視化することができ、リモート端末から遠隔操作をするものに注意喚起を促すことができる。
【０１７２】
実施形態４．
実施形態４において、実施形態１〜３と同様の構成及び機能についての説明は省略する。実施形態４では、カスタマイズ画面のツリー情報を表示させる機能について説明する。
【０１７３】
画像形成装置は、カスタマイズ画面のツリー情報をリモート端末に送信する。ツリー情報は、操作項目の経路が含まれるものである。このような操作項目の経路は、操作項目のうち、操作画面の遷移に応じて関連付けられている操作項目の操作画面を介した相関関係を示すものである。
【０１７４】
画像形成装置は、遠隔側操作内容に対応する操作項目が操作された旨を含ませたツリー情報をリモート端末に送信する。リモート端末において、端末側表示部２０６は、ツリー情報を表示する。
【０１７５】
図２０は、実施形態４に係る画像形成システム１の制御例を説明するフローチャートである。図２１は、実施形態４に係るツリー情報の表示例を示す図である。なお、図１１におけるステップＳ１６，Ｓ１７の処理と、図２０におけるステップＳ１８３，Ｓ１８４の処理とは同様であるのでその説明については省略する。また、図１１におけるステップＳ３５，Ｓ３６の処理と、図２０におけるステップＳ２０３，Ｓ２０４の処理とは同様であるのでその説明については省略する。
【０１７６】
（画像形成装置側処理）
（ステップＳ１８１）
ネイティブ画面とカスタマイズ画面との対応表に基づいてカスタマイズ画面に含まれる操作項目のツリー情報が作成され、ステップＳ１８２に進む。
【０１７７】
（ステップＳ１８２）
作成されたツリー情報がリモート端末に送信され、ステップＳ１８３に進む。例えば、ＭＦＰ１０は、複数の情報端末２０のうち、遠隔操作の主体となっている情報端末２０にツリー情報を送信する。
【０１７８】
（ステップＳ１８５）
操作内容に対応する操作項目が操作された旨を含ませたツリー情報がリモート端末に送信され、処理の終了となる。
【０１７９】
なお、上記の処理の終了とは、図２０に示す画像形成装置側処理の終了であって、画像形成装置として機能するＭＦＰ１０自体の動作が終了するという意味ではない。
【０１８０】
（リモート端末側処理）
（ステップＳ２０１）
ツリー情報が受信され、ステップＳ２０２に進む。例えば、情報端末２０は、複数のＭＦＰ１０のうち、遠隔操作の対象となっているＭＦＰ１０から送信されたツリー情報を受信する。
【０１８１】
（ステップＳ２０２）
受信されたツリー情報が表示され、ステップＳ２０３に進む。
【０１８２】
（ステップＳ２０５）
更新されたツリー情報が受信され、ステップＳ２０４に進む。
【０１８３】
（ステップＳ２０６）
受信されたツリー情報が表示され、処理の終了となる。具体的には、端末側通信部２０８を介して受信されたツリー情報は、端末側表示部２０６により表示される。
【０１８４】
例えば、図２１に示すように、操作内容に対応する操作項目が操作された旨を示すものとして、“パンチ”が網掛け表示される。なお、他の操作項目が操作された場合、他の操作項目が同様に網掛け表示される。例えば、“カラーモード”の操作項目が操作された場合、“カラーモード”が網掛け表示される。
【０１８５】
図２１に示すカスタマイズ画面においては、“メインメニュー”の下層には、“スキャン”、“設定”、及び“コピー”の操作項目が含まれる操作画面がある。“コピー”の操作画面は、“カラーモード”、“片面／両面”、“用紙サイズ”、“画質”、“集約”、及び“その他の設定”の操作項目が含まれる。“その他の設定”の操作画面は、“パンチ”及び“下地除去”の操作項目が含まれる。
【０１８６】
要するに、ツリー情報は、操作項目が操作画面ごとに階層レベルで可視化されたものである。図２１の一例においては、左側に行くにつれ、上位の階層を表すものとなっているが、その可視化される配置構成は、特に限定されるものではない。例えば、上側に行くにつれ、上位の階層を表す配置構成であってもよい。また、外側から中心に向かうにつれ、上位の階層を表す配置構成であってもよい。
【０１８７】
なお、上記の処理の終了とは、図２０に示すリモート端末側処理の終了であって、リモート端末として機能する情報端末２０自体の動作が終了するという意味ではない。
【０１８８】
以上、実施形態４に係る画像形成システム１において、操作項目の経路が含まれるツリー情報により、直近で行われた遠隔側操作内容に対応する操作項目にたどり着くまでの経路を可視化できるため、メンテナンス時の障害要因を特定しやすくなる。
【０１８９】
以上、本実施形態に係る画像形成システム１によれば、画像形成装置は、カスタマイズ画面のツリー情報をリモート端末に送信し、ツリー情報は、操作項目の経路が含まれ、操作項目の経路は、操作項目のうち、操作画面の遷移に応じて関連付けられている操作項目の操作画面を介した相関関係を示す。
【０１９０】
これにより、直近で行われた遠隔側操作内容に対応する操作項目にたどり着くまでの経路を可視化できる。
【０１９１】
また、本実施形態に係る画像形成システム１によれば、画像形成装置は、遠隔側操作内容に対応する操作項目が操作された旨を含ませたツリー情報をリモート端末に送信し、端末側表示部２０６は、ツリー情報を表示する。
【０１９２】
これにより、メンテナンス時の障害要因を特定しやすくなる。
【０１９３】
以上、本発明に係る画像形成システム１を実施形態に基づいて説明したが、本発明はこれに限定されるものではなく、本発明の趣旨を逸脱しない範囲で、変更を加えてもよい。
【０１９４】
例えば、画像形成装置として機能するＭＦＰ１０によるネットワークが構成された画像形成システム１の一例について説明したが、これに限らず、画像形成システム１を構成するネットワークの構成要素は、画像形成装置として機能するものであればよい。例えば、画像形成装置として機能するプリンタ又はファクシミリが画像形成システム１を構成するネットワークの構成要素であってもよい。
【０１９５】
また、本体側表示部１６１及び端末側表示部２０６のそれぞれが液晶表示装置からなる一例について説明したが、これに限らず、有機ＥＬＤ（Ｅｌｅｃｔｒｏ−Ｌｕｍｉｎｅｓｃｅｎｃｅ  Ｄｉｓｐｌａｙ）からなるものであってもよい。
【０１９６】
また、本体側制御部１１１が実行するプログラムを記憶する記録媒体としてＣＤ−ＲＯＭ１１８を用いる一例について説明したが、これに限らず、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（登録商標）（Ｅｌｅｃｔｒｉｃａｌｌｙ  ＥＰＲＯＭ）等の半導体メモリであってもよい。
【０１９７】
また、本体側制御部１１１が実行するプログラムが、ＣＤ−ＲＯＭ１１８に記憶されたプログラムである一例について説明したが、これに限らず、ＨＤＤ１１５に記憶されたプログラムをＲＡＭ１１４にロードして実行してもよい。この場合、通信媒体３に接続された不図示の他のコンピュータが、ＭＦＰ１０のＨＤＤ１１５に記憶されたプログラムを書き換える、又は新たなプログラムを追加して書き込むようにしてもよい。さらに、ＭＦＰ１０が、通信媒体３に接続された不図示の他のコンピュータからプログラムをダウンロードし、そのダウンロードしたプログラムをＨＤＤ１１５に記憶してもよい。このようプログラムは、本体側制御部１１１が直接実行可能なプログラムだけではなく、ソースプログラム、圧縮処理されたプログラム、又は暗号化されたプログラム等であってもよい。
【０１９８】
また、ＣＰＵ２０１が実行するプログラムを記憶する記録媒体として記憶部２０３を用いる一例について説明したが、これに限らず、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（登録商標）（Ｅｌｅｃｔｒｉｃａｌｌｙ  ＥＰＲＯＭ）等の半導体メモリであってもよい。
【０１９９】
また、通信媒体３に接続された不図示の他のコンピュータが、情報端末２０の記憶部２０３に記憶されたプログラムを書き換える、又は新たなプログラムを追加して書き込むようにしてもよい。さらに、情報端末２０が、通信媒体３に接続された不図示の他のコンピュータからプログラムをダウンロードし、そのダウンロードしたプログラムを記憶部２０３に記憶してもよい。このようプログラムは、ＣＰＵ２０１が直接実行可能なプログラムだけではなく、ソースプログラム、圧縮処理されたプログラム、又は暗号化されたプログラム等であってもよい。
【０２００】
また、情報端末２０が、端末側通信部２０８を用いることにより、ＭＦＰ１０ａ〜１０ｃのそれぞれと通信可能である一例について説明したが、これに限らず、他の通信形態であってもよい。例えば、情報端末２０及びＭＦＰ１０ａ〜１０ｃのそれぞれが、Ｂｌｕｅｔｏｏｔｈ（登録商標）等の近距離無線通信装置を搭載する場合、情報端末２０が、ＭＦＰ１０ａ〜１０ｃの何れか１台と、１対１で通信してもよい。また、例えば、情報端末２０と、ＭＦＰ１０ａ〜１０ｃの何れか１台とを、ＵＳＢ（Ｕｎｉｖｅｒｓａｌ  Ｓｅｒｉａｌ  Ｂｕｓ）ケーブル等の有線で接続させることにより、情報端末２０が、ＭＦＰ１０ａ〜１０ｃの何れか１台と、１対１で通信してもよい。
【０２０１】
また、情報端末２０が遠隔操作するＭＦＰ１０の台数は特に限定されない。例えば、情報端末２０ａが５台のＭＦＰ１０を遠隔操作し、情報端末２０ｂが３台のＭＦＰ１０を遠隔操作するものであってもよい。また、情報端末２０ａと、情報端末２０ｂとで同一のＭＦＰ１０を遠隔操作してもよい。
【０２０２】
この場合、例えば、情報端末２０ａがＭＦＰ１０ａを遠隔操作時、情報端末２０ｂはＭＦＰ１０ａの遠隔操作禁止状態に設定され、情報端末２０ｂがＭＦＰ１０ａを遠隔操作時、情報端末２０ａはＭＦＰ１０ａの遠隔操作禁止状態に設定されればよい。つまり、排他制御がされればよい。
【０２０３】
なお、複数の情報端末２０から同一の資源をアクセスする際の制御は、当業者であれば容易に実施できるものであるため、その詳細についての説明は省略する。
【０２０４】
また、本実施形態においては、１つの情報端末２０が通信が直接確立されているＭＦＰ１０と通信を行う一例について説明したが、特にこれに限定されない。例えば、情報端末２０ｂが、情報端末２０ａを介して、ＭＦＰ１０ｃと通信を行うことにより、情報端末２０ｂからＭＦＰ１０ｃが遠隔制御される構成であってもよい。この場合、情報端末２０ａは中継機として機能することにより、情報端末２０ｂと、ＭＦＰ１０ｃとの通信を中継するものである。
【０２０５】
同様に、例えば、情報端末２０ａが、情報端末２０ｂを介して、ＭＦＰ１０ｃと通信を行うことにより、情報端末２０ａからＭＦＰ１０ｃが遠隔制御される構成であってもよい。この場合、情報端末２０ｂは中継機として機能することにより、情報端末２０ａと、ＭＦＰ１０ｃとの通信を中継するものである。
【０２０６】
つまり、遠隔操作の主体と、遠隔操作対象との通信ができ、遠隔操作できるものであればよく、ネットワーク構成において、遠隔操作の主体と、遠隔操作対象との間に論理的接続関係にある機器については特に限定されるものではない。
【０２０７】
なお、本実施形態において、操作不可能状態の操作項目が網掛け表示される一例について説明したが、これに限らない。例えば、操作可能状態の操作項目と、操作不可能状態の操作項目とにおいて、操作不可能状態の操作項目の明度を落とし、両者が明確に区別され得るよう表示させてもよい。つまり、操作不可能状態の操作項目が明確に可視化される表示であればよい。
【０２０８】
なお、本実施形態においては説明を省略したが、情報端末２０と、ＭＦＰ１０とが通信を開始する際、パスワード等による認証処理が実行され、情報端末２０と、ＭＦＰ１０との間の接続認証が許可された場合、情報端末２０と、ＭＦＰ１０との通信を確立させてもよい。
【０２０９】
また、本実施形態において、ツリー情報の表示の際、既に操作項目が操作された旨を示すものとして、網掛け表示される一例について説明したが、これに限らない。例えば、既に操作項目が操作された旨を示すものとして、他の操作項目と異なる色付けであってもよい。また、既に操作項目が操作された旨を示すものとして、該当する操作項目を点滅表示させてもよい。
【０２１０】
また、本実施形態において、ツリー情報の表示の際、該当する操作項目と関係のない操作項目も表示させる一例について説明したが、これに限らない。例えば、該当する操作項目と関係のない操作項目は表示を省略してもよい。
【０２１１】
また、本実施形態において、ツリー情報は、操作内容が更新されるたびに表示される一例について説明したが、これに限らない。例えば、常に、ツリー情報は、操作画面と共に表示させてもよく、リモート端末の端末側表示部２０６によりツリー表示ボタンを表示させ、ツリー表示ボタンが操作されたことを契機として表示させてもよい。
【０２１２】
また、本実施形態において、ツリー情報がカスタマイズ画面に基づくものである一例について説明したが、これに限らない。例えば、カスタマイズ画面に基づくツリー情報と、ネイティブ画面に基づくツリー情報との両方を連動表示させてもよく、どちらか一方を選択的に表示させてもよい。
【０２１３】
また、本実施形態において説明した各種フラグは一例であって、これらに限定されるものではない。要するに、上記で説明したような条件分岐ができればよい。
【符号の説明】
【０２１４】
１          画像形成システム
３          通信媒体
１０，１０ａ〜１０ｃ  ＭＦＰ
１１０      メイン回路
１１１      本体側制御部
１１２      ネットワーク接続部
１１３      ＲＯＭ
１１４      ＲＡＭ
１１５      ＨＤＤ
１１６      ファクシミリ部
１１７      外部記憶装置
１１８      ＣＤ−ＲＯＭ
１２０      自動原稿搬送装置
１３０      原稿読取部
１４０      画像形成部
１５０      給紙部
１６０      操作パネル
１６１      本体側表示部
１６３      本体側操作部
１６５      タッチパネル
１６７      ハードキー部
２０，２０ａ，２０ｂ        情報端末
２０１      ＣＰＵ
２０３      記憶部
２０６      端末側表示部
２０７      端末側操作部
２０８      端末側通信部
２１１      タッチパネル
２１２      ハードキー部
３０        無線局
５１        リモート操作制御部
５３        操作画面制御部
６１        操作画面通知部
６２        操作情報受信部
７１        ネイティブ画面制御部
７２        カスタマイズ画面制御部
８１        端末側表示制御部
８３        座標検出部
８４        演算部
８５        操作情報通知部
【図１】
0006508016.tif 000002
【図２】
0006508016.tif 000003
【図３】
0006508016.tif 000004
【図４】
0006508016.tif 000005
【図５】
0006508016.tif 000006
【図６】
0006508016.tif 000007
【図７】
0006508016.tif 000008
【図８】
0006508016.tif 000009
【図９】
0006508016.tif 000010
【図１０】
0006508016.tif 000011
【図１１】
0006508016.tif 000012
【図１２】
0006508016.tif 000013
【図１３】
0006508016.tif 000014
【図１４】
0006508016.tif 000015
【図１５】
0006508016.tif 000016
【図１６】
0006508016.tif 000017
【図１７】
0006508016.tif 000018
【図１８】
0006508016.tif 000019
【図１９】
0006508016.tif 000020
【図２０】
0006508016.tif 000021
【図２１】
0006508016.tif 000022